(57)【特許請求の範囲】
【請求項１】
軟質合成樹脂からなるホース壁に硬質合成樹脂からなる螺旋補強体をダブルピッチ状に添着して保形するとともに前記螺旋補強体の内部に導電線を内蔵させたホースであって、前記導電線は樹脂被覆されない裸の導電線であり、その周囲には前記螺旋補強体との間に移動可能な空間が形成され、かつ前記導電線の極性判別手段を設けてあることを特徴とする電気掃除機用ホース。
【請求項２】
ダブルピッチの裸の導電線の一方にメッキを施し、他方と異なる色彩に着色して極性判別手段とした請求項１に記載の電気掃除機用ホース。
【請求項３】
ダブルピッチの螺旋補強体の一方を他方と異なる表面形状に形成して極性判別手段とした請求項１に記載の電気掃除機用ホース。
【請求項４】
ホース壁と螺旋補強体間に挟持した線状体を極性判別手段とした請求項１に記載の電気掃除機用ホース。
【請求項５】
ホース壁の外面または内面にダブルピッチの螺旋補強体の一方を他方と識別できる表示を付して極性判別手段とした請求項１に記載の電気掃除機用ホース。
【発明の詳細な説明】
【０００１】
【発明の属する技術分野】
本発明は、導電線を内蔵する電気掃除機用ホースに関するものである。
【０００２】
【従来の技術】
本出願人は先に、軟質合成樹脂からなるホース壁に硬質合成樹脂からなる螺旋補強体を添着して保形するとともに、リモートスイッチ用やパワーブラシ駆動用等の電気回路を構成する導電体として樹脂被覆されていない裸銅線を螺旋補強体の内部に移動可能に遊挿した電気掃除機用ホースを特願平１１-４０８０号として提案している。
【０００３】
ところで従来、電気掃除機用ホースの両端において導電体とコネクターとの電気接続を行う際に、ダブルピッチで内蔵させた導電体の＋と−の極性を判別する必要があるため、樹脂被覆された導電体を用いる場合にはその樹脂被覆を互いに異なる色に着色して極性を判別している。
【０００４】
【発明が解決しようとする課題】
しかしながら、前記提案においては、樹脂被覆されていない低コストの裸の銅線を使用できる利点があるが、ホース両端における導電体の極性を人間の視覚や触覚をもって直ちに判別することができず、テスター等の測定器で導通を確認して判別しなければならないという面倒な問題があることが判明した。
【０００５】
本発明は、前記の問題に鑑み、樹脂被覆されない裸の導電線が主に視覚によって直ちにその極性を判別され、コネクターとの電気接続作業が容易で面倒な手間を要しない電気掃除機用ホースを提供することを目的とする。
【０００６】
【課題を解決するための手段】
本発明は、前記目的を達成するため、下記の構成を手段とするものである。
(1)軟質合成樹脂からなるホース壁に硬質合成樹脂からなる螺旋補強体をダブルピッチ状に添着して保形するとともに前記螺旋補強体の内部に導電線を内蔵させたホースであって、前記導電線は樹脂被覆されない裸の導電線であり、その周囲には前記螺旋補強体との間に移動可能な空間が形成され、かつ前記導電線の極性判別手段を設けてあることを特徴とする電気掃除機用ホース。
(2)ダブルピッチの裸の導電線の一方にメッキを施し、他方と異なる色彩に着色して極性判別手段とした上記(1)に記載の電気掃除機用ホース。
(3)ダブルピッチの螺旋補強体の一方を他方と異なる表面形状に形成して極性判別手段とした上記(1)に記載の電気掃除機用ホース。
(4)ホース壁と螺旋補強体間に挟持した線状体を極性判別手段とした上記(1)に記載の電気掃除機用ホース。
(5)ホース壁の外面または内面にダブルピッチの螺旋補強体の一方を他方と識別できる表示を付して極性判別手段とした上記(1)に記載の電気掃除機用ホース。
【０００７】
【実施例】
以下、本発明を図面に示す一実施例に基づいて説明する。
図中、図１は電気掃除機の全体の外観を示し、図２は本発明のホースの管壁の一部を断面で示した全体形状を示し、図３は管壁の一部拡大断面図である。
【０００８】
本発明に係る可撓性ホース１は、軟質合成樹脂からなるホース壁２の外周面に硬質合成樹脂からなる２条の螺旋補強体３ａ，３ｂをダブルピッチで添着して形成されるもので、電気掃除機の掃除機本体２０に設けられた吸気口に接続パイプ２１を介して可撓性ホース１の一端が接続され、可撓性ホース１の他端は手元操作部２２に接続され、手元操作部２２に連続して延長管２３、続いて床用ノズル２４が接続されて電気掃除機が構成されている。
【０００９】
ホース壁２は、塩化ビニル系を除く熱可塑性エラストマー（ＴＰＥ）、例えばオレフィン系ＴＰＥ，スチレン系ＴＰＥ，ウレタン系ＴＰＥ，水素添加スチレンブタジエンラバー（ＨＳＢＲ）などやこれらの混合材料製の押出溶融テープからなる条帯を螺旋状に捲回し、その側縁同士を融着により接合して形成されている。
【００１０】
螺旋補強体３は、ホース壁２を形成するＴＰＥ等と相溶性があり熱融着可能な硬質合成樹脂、例えばポリプロピレン（ＰＰ），ポリエチレン（ＰＥ）などのポリオレフィン系樹脂が押出成形されたもので、ホース壁２の外周面に螺旋状に捲回されて固着されている。この螺旋補強体３を形成する硬質合成樹脂は、硬度の大きいもの例えば曲げ弾性率が１０，０００ｋｇｆ／ｃｍ2（ＪＩＳ  Ｋ６７５８の引張試験による）以上のものを選択するのが好ましい。
【００１１】
螺旋補強体３の内部には、裸の撚り銅線（例えば直径０．１２ｍｍの銅線を１０本撚ったもの）からなる導電線４が遊びを持った状態で挿入されており、導電線４の周囲には螺旋補強体３との間に移動空間５が形成されている。この導電線４は、螺旋補強体３を形成する硬質合成樹脂を押出ヘッドから押出成形する際に押出ヘッドの中心部にあらかじめ挿通しておき、硬質合成樹脂を押出ヘッドから注出するときに内部の導電体に密着させず間隙をあけて行うことにより遊挿されるものである。
【００１２】
ダブルピッチの導電線４，４は、その一方が錫メッキが施され銀色を呈し、他方はメッキされないで元の銅色を呈しており、視覚により互いに識別されて極性が判別される。
【００１３】
図４乃至図８は、導電線４，４の極性判別を行う他の実施例を示し、図４は、ダブルピッチの螺旋補強体の一方３ａにのみ突起６を形成して、突起のない他方３ｂと視覚や触覚で識別できるようにし、突起６のある螺旋補強体３ａに内蔵する導電線４をプラス線とし、突起のない螺旋補強体３ｂに内蔵する導電線４をマイナス線として極性を判別する。図５は、螺旋補強体の一方３ａにのみ凹部７を形成して、凹部のない他方３ｂと識別できるようにしたものである。
【００１４】
図６は、ホース壁２と螺旋補強体の一方３ａとの間にのみ繊維等の線状体８を挟持させて、線状体８が埋設されていない他方３ｂと識別できるようにしたもの、図７は、螺旋補強体の一方３ａが添着されたホース壁２のみにライン９を表示して、ライン９のない他方３ｂと識別できるようにしたもの、図８は、螺旋補強体の一方３ａの近傍のホース壁２表面に凸条１０を形成して、凸条１０のない他方３ｂと識別できるようにしたものである。なお、本発明は前記実施例に限定されず、螺旋補強体の一方３ａ付近のホース壁２表面にのみシボを施し、シボのない他方３ｂと識別できるようにしてもよい。
【００１５】
【発明の効果】
本発明によれば、螺旋補強体に内蔵された樹脂被覆されない裸の導電線であっても、ホース両端における導電線の極性判別が視覚等で極めて容易に行うことができ、低コストの導電線をリモートスイッチ用やパワーブラシ駆動用等の電気回路を構成する導電体として自由に利用できる利点がある。
【図面の簡単な説明】
【図１】  電気掃除機の全体の外観図である。
【図２】  本発明のホースの管壁の一部を断面で示した正面図である。
【図３】  ホースの管壁の一部拡大断面図である。
【図４】  極性判別を行う他の実施例を示す管壁の一部拡大断面図である。
【図５】  極性判別を行う他の実施例を示す管壁の一部拡大断面図である。
【図６】  極性判別を行う他の実施例を示す管壁の一部拡大断面図である。
【図７】  極性判別を行う他の実施例を示す管壁の一部拡大断面図である。
【図８】  極性判別を行う他の実施例を示す管壁の一部拡大断面図である。
【符号の説明】
１  可撓性ホース
２  ホース壁
３  螺旋補強体
４  導電線
５  移動空間
６  突起
７  凹部
８  線状体
９  ライン
１０  凸条
【図１】
0003656980.tif 000002
【図２】
0003656980.tif 000003
【図３】
0003656980.tif 000004
【図４】
0003656980.tif 000005
【図５】
0003656980.tif 000006
【図６】
0003656980.tif 000007
【図７】
0003656980.tif 000008
【図８】
0003656980.tif 000009